(57)【要約】【課題】基板への接合強度の向上のほかハウジングの剛性も大きく向上させる補強部材を備える。【解決手段】このコネクタは、その長手方向両端部に補強金具４０を備えている。補強金具４０は、第１の補強部４１と、一対の第２の補強部４２と、一対の連結部４３とを有する。第１の補強部４１は、ハウジング（不図示）の端壁を挟んで延びる一対の挟持部４１１を有する。一対の挟持部４１１それぞれの下面４１２（図４の上側を向いた面）は、基板に半田接続される。一対の第２の挟持部４２のそれぞれは、ハウジングの側壁を挟んで延びる一対の挟持部４２１を有する。それら一対の挟持部４２１それぞれの下面４２２も、基板に半田接続される。それら第１の補強部４１１と一対の第２の補強部４２１は、一対の連結部４３で連結される。【選択図】図４
2016051630.tif 000002
【特許請求の範囲】
【請求項１】
基板表面に実装されるコネクタであって、
上面と、実装される基板に接する下面とを有するハウジングと、
前記ハウジングに支持されたコンタクトと、
前記上面側で折り返され、前記ハウジングの一部を互いの間に挟んで前記下面に向かって延びそれぞれが基板に接続される一対の挟持部が設けられた補強部が、１つ以上形成された補強金具とを備えたことを特徴とするコネクタ。
【請求項２】
前記ハウジングが、平面視で略長方形状を有するとともに、該ハウジングの長手方向両端の端壁および該長手方向に交わる幅方向両側の側壁を形成して該端壁および該側壁の内側を一周する周回溝を前記上面に有し、
前記補強金具が、前記ハウジングの長手方向両端部に備えられたものであって、該補強金具それぞれが、いずれもが前記補強部の１つずつである、前記端壁を互いの間に挟んで前記ハウジングの下面に向かって延びる一対の挟持部が設けられた第１の補強部と、前記幅方向両側それぞれの前記側壁を互いの間に挟んで前記ハウジングの下面に向かって延びる一対の挟持部がそれぞれに設けられた一対の第２の補強部とを有するとともに、該第１の補強部と該一対の第２の補強部それぞれとを該周回溝内で連結する一対の連結部を有することを特徴とする請求項１記載のコネクタ。
【請求項３】
前記一対の連結部それぞれが、前記長手方向に対し斜めに延び、前記第１の補強部と前記一対の第２の補強部それぞれとの連結を担うとともに相手コネクタとの係止を担うものであることを特徴とする請求項２記載のコネクタ。
【発明の詳細な説明】
【技術分野】
【０００１】
本発明は、基板表面に実装されるコネクタに関する。
【背景技術】
【０００２】
表面実装型のコネクタは、そのコネクタのコンタクトが基板表面に半田付けされる。コンタクトの半田付けのみでは接合強度が弱い場合に、ペグと呼ばれる補強金具を備える場合がある。その補強金具は、コネクタのハウジングに固定され、基板上に半田付けされて接合強度を上げている。また、その補強金具は、ハウジングの剛性向上にも役立っている。
【０００３】
特許文献１には、扁平なリング形状の補強金具を有するコネクタが開示されている。
【先行技術文献】
【特許文献】
【０００４】
【特許文献１】特開２０１０−５５８８１号公報
【発明の概要】
【発明が解決しようとする課題】
【０００５】
上掲の特許文献１に開示されたコネクタの補強金具は、扁平なリング形状に形成されている。このため、単なる平板形状の補強金具と比べると、半田付け部分の面積が倍となっている。すなわち、２倍の厚みの平板と同レベルに接合強度を向上させている。しかしながら、この補強金具は、いわば平板の厚みを２倍にしたこととほぼ同等であって、ハウジングの剛性向上への寄与は小さい。
【０００６】
本発明は、上記事情に鑑み、基板への接合強度の向上のほかハウジングの剛性も大きく向上させる補強部材を備えたコネクタを提供することを目的とする。
【課題を解決するための手段】
【０００７】
上記目的を達成する本発明のコネクタは、基板表面に実装されるコネクタであって、
上面と、実装される基板に接する下面とを有するハウジングと、
ハウジングに支持されたコンタクトと、
上面側で折り返され、ハウジングの一部を互いの間に挟んでハウジングの下面に向かって延びそれぞれが基板に接続される一対の挟持部が設けられた補強部が、１つ以上形成された補強金具とを備えたことを特徴とする。
【０００８】
本発明のコネクタの補強金具は、それぞれが基板に接続される一対の挟持部を有する。これにより、平板形状の補強金具と比べ基板への接合強度が向上している。また、その一対の挟持部は、ハウジングの一部を間に挟んでいる。これにより、この補強金具は、ハウジングの剛性の向上にも大きく寄与している。
【０００９】
ここで、本発明のコネクタにおいて、
上記ハウジングが、平面視で略長方形状を有するとともに、そのハウジングの長手方向両端の端壁および長手方向に交わる幅方向両側の側壁を形成して端壁および側壁の内側を一周する周回溝を上面に有し、
上記補強金具が、ハウジングの長手方向両端部に備えられたものであって、補強金具それぞれが、いずれもが補強部の１つずつである、端壁を互いの間に挟んでハウジングの下面に向かって延びる一対の挟持部が設けられた第１の補強部と、幅方向両側それぞれの側壁を互いの間に挟んでハウジングの下面に向かって延びる一対の挟持部がそれぞれに設けられた一対の第２の補強部とを有するとともに、第１の補強部と一対の第２の補強部それぞれとを周回溝内で連結する一対の連結部を有する態様が好ましい。
【００１０】
この態様によれば、補強金具は、ハウジングの長手方向両端部に備えられている。そして、各補強金具は、第１の補強部と、一対の第２の補強部と、一対の連結部とを有する。第１の補強部は、ハウジングの端壁を補強する。一対の第２の補強部は幅方向左右の側壁をそれぞれ補強する。一対の連結部は、第１の補強部と一対の第２の連結部それぞれを連結して一体化している。したがって、この態様によれば、ハウジングの剛性が大幅に高められる。
【００１１】
また、本発明のコネクタにおいて、上記一対の連結部それぞれが、長手方向に対し斜めに延び、第１の補強部と一対の第２の補強部それぞれとの連結を担うとともに、相手コネクタとの係止を担うものであることが好ましい。
【００１２】
補強金具に相手コネクタとの係止を担わせることにより、係止用の別部材は不要であり、部品点数の削減、小型化に寄与する。
【発明の効果】
【００１３】
以上の本発明によれば、補強部材が、接合強度の向上に寄与するとともに、ハウジングの剛性向上にも大きく寄与するコネクタが実現する。
【図面の簡単な説明】
【００１４】
【図１】本発明の一実施形態としてのコネクタを上面側から見て示した斜視図である。
【図２】図１に示すコネクタを上下逆さにして下面側から見て示した斜視図である。
【図３】図１と同じ姿勢かつ同じ配置で示したコンタクトと補強金具の斜視図である。
【図４】図２と同じ姿勢かつ同じ配置で示したコンタクトと補強金具の斜視図である。
【図５】本実施形態のコネクタと、そのコネクタと組み合う相手コネクタとを別々に示した斜視図である。
【図６】本実施形態のコネクタと相手コネクタとが組み合った状態の斜視図である。
【図７】本実施形態のコネクタ（ハウジング不図示）と相手コネクタとが組み合った状態の斜視図である。
【発明を実施するための形態】
【００１５】
以下、本発明の実施の形態を説明する。
【００１６】
図１は、本発明の一実施形態としてのコネクタを上面側から見て示した斜視図である。
【００１７】
また、図２は、図１に示すコネクタを上下逆さにして下面側から見て示した斜視図である。
【００１８】
このコネクタ１０は、不図示の基板の表面に実装される表面実装型のコネクタである。このコネクタ１０は、ハウジング２０と、複数のコンタクト３０と、２個の補強金具４０とを備えている。
【００１９】
ハウジング２０は、図１に示す上面２１と、図２に示す下面２２とを有する。下面２２は、実装される基板に接する側の面である。ハウジング２０は、平面視で略長方形状を有する。ハウジング２０の上面２１には、一周する周回溝２３が形成されている。ハウジング２０の、周回溝２３に囲まれた中央部分には、台部２４が形成されている。また、この周回溝２３により、ハウジング２０の長手方向両端には、端壁２５が形成されている。図１では、この端壁２５は、補強金具４０により覆われている。また、この周回溝２３により、ハウジング２０の、長手方向に交わる幅方向両側には、側壁２６が形成されている。すなわち、周回溝２３は、ハウジング２０の上面２１の、端壁２５および側壁２６の内側であって、かつ、台部２４の外側を一周している。
【００２０】
図３は、図１と同じ姿勢かつ同じ配置で示したコンタクトと補強金具の斜視図である。
【００２１】
また、図４は、図２と同じ姿勢かつ同じ配置で示したコンタクトと補強金具の斜視図である。
【００２２】
以下では、図１，図２に加え、さらに図３，図４も合わせて参照しながら、コンタクトおよび補強金具について説明する。
【００２３】
コンタクト３０は、ハウジング１０の長手方向中央部分に、台部２４と側壁２６とに跨って配置され、側壁２６に圧入で固定されている。本実施形態では、このコンタクト３０は、左右５個ずつ、合計１０個、備えられている。
【００２４】
各コンタクト３０は、側方に延びた端部に、基板（不図示の）上の配線に半田接続される半田付け部３１を有する。また、各コンタクト３０は、そのコンタクト３０が延びる、ハウジング２０の幅方向の中央部分３２が、ハウジング２０の下面２２から露出している。
【００２５】
補強金具４０は、ハウジング２０の長手方向両端部に１つずつ備えられている。各補強金具４０は、第１の補強部４１と、一対の第２の補強部４２と、一対の連結部４３とを有する。
【００２６】
第１の補強部４１および一対の第２の補強部４２は、いずれも、ハウジング２０の上面２１側で折り返した形状を有する。そして、それらのいずれもが、ハウジング２０の一部を互いの間に挟んで、ハウジング２０の下面２２に向かって延びる一対の挟持部４１１，４２１を有する。そして、各一対の挟持部４１１，４１２は、基板に半田付けされる下面４１２，４２２を有する。具体的には、第１の補強金具４１を構成する一対の挟持部４１１は、ハウジング２０の端壁２５を互いの間に挟んでハウジング２０の下面２２に向かって延びている。また、一対の第２の補強部４２も、それぞれが一対の挟持部４２１を有する。それら一対の挟持部４２１は、ハウジング２０の側壁２６を互いの間に挟んで、ハウジング２０の下面２２に向かって延びている。
【００２７】
第１の補強部４１および一対の第２の補強部４２のそれぞれは、一対の挟持部４１１，４２１を有し、ハウジング２０の一部を互いの間に挟んでいる。これにより、これらの補強部４１，４２は、ハウジング２０の剛性の向上に大きく貢献している。また、一対の挟持部４１１，４２１の下面４１２，４２２の双方が基板に半田付けされる。これにより、これらの補強部４１，４２は、基板との接合強度の向上にも大きく貢献している。
【００２８】
また、一対の連結部４３のそれぞれは、第１の補強部４１と、一対の第２の補強部４２のそれぞれとを連結している。この補強金具４０は、これらの連結部４３により、ハウジング２０の長手方向端部の剛性を更に向上させている。また、この連結部４３は、ハウジング２０に設けられている周回溝２３に沿って配置されている。これらの連結部４３は、ハウジング２０の周回溝２３に沿ってハウジング２０の長手方向に対し斜めに延びている。各連結部４３は、互いに平行に延びる第１の連結バー４３２と第２の連結バー４３２とを有する。それら第１の連結バー４３１と第２の連結バー４３２との間には係合スリット４３３が設けられている。この連結部４３は、相手コネクタとの係止も担っている。
【００２９】
図５は、本実施形態のコネクタと、そのコネクタと組み合う相手コネクタとを別々に示した斜視図である。
【００３０】
また、図６は、本実施形態のコネクタと相手コネクタとが組み合った状態の斜視図である。
【００３１】
さらに、図７も、本実施形態のコネクタと相手コネクタとが組み合った状態の斜視図である。ただし、この図７では、本実施形態のコネクタについてはハウジングを消去してコンタクトと補強金具のみが示されている。
【００３２】
相手コネクタ５０も、本実施形態のコネクタ１０と同様である。すなわち、相手コネクタ５０も、図５に示すように、ハウジング６０と、左右５個ずつのコンタクト７０と、長手方向両端部の補強金具８０を備えている。この相手コネクタ５０は、図６に示すように、本実施形態のコネクタ１０の周回溝２３に入り込むことで本実施形態のコネクタ１０と組み合う。この相手コネクタ５０の補強金具８０には、この相手コネクタ５０の４隅に斜めに突き出た係止部８１を有する。
【００３３】
上述の通り、本実施形態のコネクタ１０の補強金具８０の連結部４３には、係合スリット４３３が形成されている。相手コネクタ５０の補強金具８０の係止部８１は、図７に示すように、その係合スリット４３３に入り込んで係止される。相手コネクタ５０は、係止部８１が係合スリット４３３に入り込むことで、本実施形態のコネクタ１０に組み合った状態にロックされる。
【００３４】
上述の通り、第１の連結バー４３１と第２の連結バー４３２は、ハウジング２０の長手方向に対し斜めに延びている。すなわち、それらの間に形成された係合スリット４３３も斜めに延びている。一方、相手コネクタ５０の補強金具８０に設けられている係止部８１は斜めに突き出た形状を有する。そして、係止部８１は、係合スリット４３３に、ハウジングの長手方向に対し斜めに入り込む。このように、斜めに係止させることで、長手方向および幅方向のいずれの方向に不用意に力が加わっても、それらのコネクタ１０，５０のロックが外れることが防止される。
【００３５】
なお、本実施形態のコネクタ１０では、補強金具４０が第１の補強部４１と一対の第２の補強部４２との合計３つの補強部を備えている。ただし、１つの補強部材に備えられている補強部の数は、３つに制限されるものではない。補強部材には、補強部が、必要に応じて１つ以上のいくつ備えられていてもよい。
【符号の説明】
【００３６】
１０，５０    コネクタ
２０，６０    ハウジング
２１    上面
２２    下面
２３    周回溝
２４    台部
２５    端壁
２６    側壁
３０，７０    コンタクト
４０，８０    補強金具
４１    第１の補強部
４２    第２の補強部
４３    連結部
８１    係止部
４１１，４２１    挟持部
４１２，４２２    下面
４３１    第１の連結バー
４３２    第２の連結バー
４３３    係合スリット
【図１】
2016051630.tif 000003
【図２】
2016051630.tif 000004
【図３】
2016051630.tif 000005
【図４】
2016051630.tif 000006
【図５】
2016051630.tif 000007
【図６】
2016051630.tif 000008
【図７】
2016051630.tif 000009